(57)【特許請求の範囲】
【請求項１】
上方に開口し内部に培地が収納される培地容器で主体が構成されるプランターであって、培地容器は、金属板からなる芯材に、耐候性を有する合成樹脂からなる表面材が被覆され、金属板からなる芯材に、耐候性を有する合成樹脂からなる表面材が被覆され、上方に開口し内部に培地容器が収納され且つ底部に液体が貯留可能な液肥容器が設けられ、培地容器の底部に挿通開口が形成され、挿通開口が形成される部分に液肥容器の液体を吸い上げる吸い上げリブが設けられることを特徴とするプランター。
【請求項２】
培地容器は、長手方向に直交する断面形状が上方に開口する略コ字状に形成され、複数の培地容器を長手方向に連結する連結手段が設けられ、長手方向の端部の開口を閉塞するエンドカバーが着脱自在に装着されて成ることを特徴とする請求項１記載のプランター。
【請求項３】
液肥容器は、長手方向に直交する断面形状が上方に開口する略コ字状に形成され、複数の液肥容器を長手方向に連結する連結手段が設けられ、長手方向の端部の開口を閉塞するエンドカバーが着脱自在に装着されて成ることを特徴とする請求項１又は２のいずれか一項に記載のプランター。
【請求項４】
複数の液肥容器を長手方向に連結する連結手段が継手からなり、液肥容器の設置面からの高さを調整する高さ調整手段が継手に設けられて成ることを特徴とする請求項３記載のプランター。
【請求項５】
液肥容器の長手方向の端部の開口を閉塞するエンドカバーに、液肥容器の設置面からの高さを調整する高さ調整手段が設けられて成ることを特徴とする請求項４記載のプランター。
【請求項６】
継手は、液肥容器の外面に略沿う形状に形成される外継手と、外継手と協同して液肥容器を内外から挟持する内継手とで構成され、外継手の内面の液肥容器が当接する部分に弾性を有しリブが突設されるシール部が設けられて成ることを特徴とする請求項４又は５のいずれか一項に記載のプランター。
【請求項７】
内継手と培地容器の長手方向の端部に、該内継手と培地容器とを連結する係止部が設けられて成ることを特徴とする請求項６記載のプランター。
【請求項８】
内継手に、培地容器内の栽培空間を長手方向に仕切る仕切りが設けられて成ることを特徴とする請求項６又は７のいずれか一項に記載のプランター。
【発明の詳細な説明】
【技術分野】
【０００１】
本発明は、植物栽培用のプランターに関するものである。
【背景技術】
【０００２】
従来より、植物栽培用のプランターが用いられている（例えば特許文献１参照）。プランターとしては、古くから用いられている鉢が代表的であるが、図１３に示すように合成樹脂製の上方に開口する略箱状をしたものも従来よりよく用いられている。
【０００３】
近年、野菜等の植物を大掛かりな畑で栽培するのではなく、上記のようなプランターにより栽培する要望が高まっている。すなわち、まとまった土地がなくても、プランターが設置できれば植物の栽培が可能となるため、例えば都市部においても狭小な土地で植物の栽培が可能となり、デッドスペースの活用や、食料自給率の増加や、地産地消が図られるものである。
【先行技術文献】
【特許文献】
【０００４】
【特許文献１】実用新案登録第３０３２６５２号公報
【発明の概要】
【発明が解決しようとする課題】
【０００５】
ところで、上記従来のプランターによりある程度の量の植物を栽培する場合、多数のプランターを並設すると共に、各プランター毎に肥料や水を供給する必要があり、手間が掛かるものであった。また、多数のプランターを並設するにも、乱雑に並べてしまうと見苦しくなるため整然と並べる必要があるが、整然と並べるには手間がかかり、また整然と並べても一体感がないものであった。
【０００６】
そこで、長尺のプランターを製造して用いることが考えられるが、この場合、寒さや暑さ・風雨・日照等による膨張・収縮の発生が懸念されるものであった。すなわち、短尺のプランターを並設するのであれば、各プランターは膨張・収縮するものの、プランター間に生じる隙間が膨張・収縮を吸収することができ、プランター列全体の長さは殆ど変化しない。しかしながら、一体の長尺のプランターが膨張・収縮するとプランター全体の長さが大きく変化してしまうものであった。
【０００７】
本発明は上記従来の問題点に鑑みて発明したものであって、その目的とするところは、屋外に設置しても、寒さや暑さ・風雨・日照等による膨張・収縮が抑えられるプランターを提供することを課題とするものである。
【課題を解決するための手段】
【０００８】
上記課題を解決するために本発明は、以下の構成を具備している。
【０００９】
上方に開口し内部に培地９が収納される培地容器１で主体が構成されるプランターである。培地容器１は、金属板２１からなる芯材２に、耐候性を有する合成樹脂からなる表面材３が被覆され、金属板２１からなる芯材２に、耐候性を有する合成樹脂からなる表面材３が被覆され、上方に開口し内部に培地容器１が収納され且つ底部に液体が貯留可能な液肥容器４が設けられ、培地容器１の底部に挿通開口が形成され、挿通開口が形成される部分に液肥容器４の液体を吸い上げる吸い上げリブ１５が設けられることを特徴とする。
【００１０】
芯材２により、寒さや暑さ・風雨・日照等による膨張・収縮が抑えられ、また表面材３により耐錆等の耐候性が高いものである。また、根の長さが比較的短い植物の場合や、液肥容器４の貯留空間４０に貯留されている液体の液面が下がり、植物の根が直接液体に浸漬されていなくても、吸い上げリブ１５によって液体が吸い上げられて植物に吸収されることが可能となる。
【００１１】
また、培地容器１は、長手方向に直交する断面形状が上方に開口する略コ字状に形成され、複数の培地容器１を長手方向に連結する連結手段が設けられ、長手方向の端部の開口を閉塞するエンドカバーが着脱自在に装着されるのが好ましい。これにより、所望の長さで上方に開口する培地容器１が形成可能となる。
【００１３】
また、液肥容器４は、長手方向に直交する断面形状が上方に開口する略コ字状に形成され、複数の液肥容器４を長手方向に連結する連結手段が設けられ、長手方向の端部の開口を閉塞するエンドカバー６が着脱自在に装着されるのが好ましい。これにより、所望の長さで上方に開口する液肥容器４が形成可能となる。
【００１４】
また、複数の液肥容器４を長手方向に連結する連結手段が継手５からなり、液肥容器４の設置面からの高さを調整する高さ調整手段７が継手５に設けられるのが好ましい。これにより、液肥容器４が水平でない面に設置される場合でも水平に設置可能となる。
【００１５】
また、液肥容器４の長手方向の端部の開口を閉塞するエンドカバー６に、液肥容器４の設置面からの高さを調整する高さ調整手段７が設けられるのが好ましい。これにより、液肥容器４が水平でない面に設置される場合でも水平に設置可能となる。
【００１６】
また、継手５は、液肥容器４の外面に略沿う形状に形成される外継手５１と、外継手５１と協同して液肥容器４を内外から挟持する内継手５５とで構成され、外継手５１の内面の液肥容器４が当接する部分に弾性を有しリブ５４ａが突設されるシール部５４が設けられるのが好ましい。これにより、液肥容器４と外継手５１とのシールがなされ、液肥容器４に貯留される液体が漏れるのが防止される。
【００１７】
また、内継手５５と培地容器１の長手方向の端部に、該内継手５５と培地容器１とを連結する係止部が設けられるのが好ましい。これにより、内継手５５に培地容器１の荷重をかけて、外継手５１と内継手５５とで液肥容器４を内外から挟持することが可能となる。
【００１８】
また、内継手５５に、培地容器１内の栽培空間を長手方向に仕切る仕切り５９が設けられるのが好ましい。これにより、栽培空間を仕切ることが可能となる。
【発明の効果】
【００１９】
本発明にあっては、表面材により耐錆等の耐候性が高く維持されながら、芯材により、寒さや暑さ・風雨・日照等による膨張・収縮が抑えられる。
【図面の簡単な説明】
【００２０】
【図１】本発明の一実施形態のプランター（培地容器、液肥容器）を長手方向に垂直に切断した状態（但し各芯材及び表面材の切断箇所は異なる）の斜視図である。
【図２】同上の実施形態のプランター（培地容器、液肥容器、継手）を長手方向に垂直に切断した状態の斜視図である。
【図３】同上の実施形態の継手の分解斜視図である。
【図４】同上の実施形態において液肥容器の長さを培地容器の長さの数倍にした場合の説明図である。
【図５】同上の実施形態において液肥容器又は培地容器をスタックした状態の断面図である。
【図６】他の実施形態を示し、（ａ）は継手の分解斜視図であり、（ｂ）は液肥容器を継手で連結した状態の要部断面図である。
【図７】同上の実施形態におけるエンドカバー及びアジャスタボルトの分解斜視図である。
【図８】同上の実施形態におけるプランターの側面図である。
【図９】更に他の実施形態のプランター（培地容器、液肥容器、継手）を長手方向に垂直に切断した状態の斜視図である。
【図１０】同上の実施形態の継手の分解斜視図である。
【図１１】更に他の実施形態を示し、（ａ）は斜視図であり、（ｂ）は分解斜視図である。
【図１２】更に他の実施形態におけるプランター（液肥容器、培地容器）の断面図である。
【図１３】従来のプランターの斜視図である。
【発明を実施するための形態】
【００２１】
以下、本発明を添付図面に示す実施形態に基いて説明する。
【００２２】
プランターは、内部に培地９（図１１参照）が収納されて植物が栽培されるもので、図２に示すように底片１１と該底片１１の幅方向（短手方向）の両端から上方に若干広がるように連設される側片１２とからなる、長手方向に直交する断面形状が上方に開口する略コ字状をした培地容器１で主体が構成される。なお、培地容器１の詳細な形状は特に限定されず、例えば、側片１２が底片１１から上方に垂直に連設されていたり、底片１１や側片１２が平板状でなく曲がっていたり、底片１１と側片１２との境界が明確でなくてもよい。
【００２３】
培地容器１は、図１に示すように収縮率の低い芯材２に、耐候性の高い表面材３が被覆されて形成される。本実施形態では、芯材２の材質として、寒さや暑さ・風雨・日照等による膨張・収縮（すなわち熱膨張・熱収縮）の度合いが合成樹脂よりも低く、強度及び剛性が合成樹脂よりも高い金属が用いられる。また表面材３の材質として、寒さや暑さ・風雨・日照等に対する耐性（すなわち耐候性）の高い合成樹脂が用いられる。更に本実施形態では図示しないが、表面材３が、芯材２に直接被覆される内側材と、内側材の外側に被覆されて外部に露出する外側材とからなる二層構造となっている。
【００２４】
この培地容器１は、本実施形態では、図１に示すように一枚の金属板２１（例えば亜鉛処理スチール、ステンレス等）を屈曲して底片１１及び両側の側片１２の芯材２が一体に構成される。そして、芯材２の表面に、内側材となる例えば硬質塩化ビニル樹脂、ＡＢＳ樹脂、ポリスチレン等からなる合成樹脂層（図示せず）が被覆されると共に、外側材となる例えば高耐候性樹脂からなる合成樹脂層（図示せず）が被覆されて表面材３が形成される。
【００２５】
上記構成の培地容器１は、金属板２１からなる芯材２により、寒さや暑さ・風雨・日照等による膨張・収縮が抑えられると共に、強度及び剛性が高いものである。また、耐候性を有する合成樹脂からなる表面材３が被覆されているため、耐錆等の耐候性が高く、金属が剥き出しにならず外観も向上する。これにより、一体の長尺の培地容器１としても膨張・収縮による懸念がなく、所望の長さの培地容器１を形成することが可能となる。
【００２６】
培地容器１は、複数が長手方向に連結可能となっており、連結される培地容器１の数が変わることで全体の長さが調節可能となる。また図示しないが、連結手段として、培地容器１の長手方向の端部に係止部が設けられて、二つの培地容器１の連結手段同士が連結されたり、別体の継手により二つの培地容器１の端部が連結されることで、複数の培地容器１が長手方向に連結される。なお、培地容器１が一つのみで用いられても勿論よいものである。
【００２７】
培地容器１の長手方向の端部に、該端部の開口を閉塞するエンドカバーが着脱自在となるように形成される。これにより、必要に応じてエンドカバーが装着されて、底片１１と側片１２とエンドカバーとで上方に開口する区画された栽培空間が適宜構成される。
【００２８】
本実施形態では更に、培地容器１が収納自在で底部に液体が貯留可能な液肥容器４が設けられ、培地容器１と液肥容器４とでプランターが構成されるもので、液肥容器４について説明する。
【００２９】
液肥容器４は図２に示すように、培地容器１と同様、底片４１と該底片４１の幅方向の両端から上方に若干広がるように連設される側片４２とからなる、長手方向に直交する断面形状が上方に開口する略コ字状をしたものである。液肥容器４の詳細な形状は特に限定されず、例えば、側片４２が底片４１から上方に垂直に連設されていたり、底片４１や側片４２が平板状でなく曲がっていたり、底片４１と側片４２との境界が明確でなくてもよい。
【００３０】
液肥容器４も、図１に示すように、収縮率の低い芯材２に耐候性の高い表面材３が被覆されて形成される点、更に本実施形態では芯材２の材質として金属が用いられ、表面材３の材質として合成樹脂が用いられる点、更に表面材３が内側材と外側材とからなる二層構造である点、一枚の金属板２１にて芯材２が一体に構成され、内側材及び外側材となる合成樹脂層がそれぞれ被覆されて形成される点、これらにより得られる効果、は上述した培地容器１と同様であり、説明が重複するため省略する。
【００３１】
液肥容器４は、培地容器１とは主に断面形状が異なるもので、長手方向の長さについては、少なくとも培地容器１の長さ以上にする必要がある。
【００３２】
培地容器１と液肥容器４の断面形状は、培地容器１が液肥容器４に収納される形状となるように形成される。本実施形態では、図２に示すように、培地容器１の側片１２の外面が液肥容器４の側片４２の内面の上端部から中間部にかけて沿い、培地容器１の底片１１は液肥容器４の底片４１から上方に間隔をあけて位置するように形成される。培地容器１の側片１２の上端部には、長手方向全長に亙って係止片１３が外方に向けて連設されており、培地容器１が液肥容器４に収納される際に係止片１３が液肥容器４の側片４２の上端部上に載置される。また、液肥容器４に収納される培地容器１は、底部（底片１１）に多数の挿通開口（図示せず）が穿設されている。
【００３３】
更に、培地容器１及び液肥容器４の側片１２、４２の中間部（図示例では側片１２、４２の上端部から上下長さの１／３程度下がった位置）にそれぞれ、クランク状に屈曲してその中央の略水平となる下係止片１４、４３が形成されている。便宜上、培地容器１及び液肥容器４の側片１２、４２の下係止片１４、４３より上側の部分を上側片１２ａ、４２ａ、下係止片１４、４３より下側の部分を下側片１２ｂ、４２ｂとする。培地容器１が液肥容器４に収納される際、培地容器１の下係止片１４が液肥容器４の下係止片４３上に載置され、下係止片１４と上述した係止片１３とで培地容器１が支持される。
【００３４】
液肥容器４の長手方向の端部に連結手段が設けられ、二つの液肥容器４の連結手段同士が連結されたり、別体の継手５が用いられて二つの培地容器１の端部が連結されることで、複数の液肥容器４が長手方向に連結される。本実施形態では別体の継手５により連結されるもので、継手５は図３に示すように、培地容器１や液肥容器４の表面材３と同じ合成樹脂製の外継手５１と内継手５５とで構成される。
【００３５】
外継手５１は、液肥容器４と同様に、底片５２と該底片５２の幅方向の両端から上方に若干広がるように連設される側片５３とからなる、長手方向に直交する断面形状が上方に開口する略コ字状をしたもので、液肥容器４の外面に略沿う形状に形成される。詳述すると、側片５３は、長手方向（装着される液肥容器４の長手方向）の両端部の上端部の角部がそれぞれ矩形状に切欠されて係合凹部５３ａが形成されており、係合凹部５３ａの底辺にあたる側片５３の上端面５３ｂが、液肥容器４の下係止片４３の下面が載置される載置面となる。便宜上、側片５３の長手方向の両係合凹部５３ａ間の部分を中片５３ｃとする。
【００３６】
側片５３の下部の内面と底片５２の上面には、シール部５４が設けられる。シール部５４は、ゴム等の弾性を有する材質からなるもので、液肥容器４を包み込むように外継手５１が装着された際、液肥容器４の外面が当接してシールがなされる。シール部５４に、長手方向に略直交する方向に一条又は複数条のリブ５４ａが突設してあることで、リブ５４ａで液肥容器４の外面に圧接することとなってより確実なシールがなされる。このシール部５４の上端部の位置は、液肥容器４に貯留される液体の上面よりも上側となるように設定される。すなわち図２に示すように、培地容器１が液肥容器４に収納された際、液肥容器４の底片４１よりも上で培地容器１の底片１１よりも下に形成される空間が液体の貯留空間４０となるが、この貯留空間４０の上端部（すなわち培地容器１の底片１１の位置）よりも上にシール部５４の上端部が位置するようにする。なお、貯留空間４０に貯留される液体は液肥に限定されず、水分や、防虫剤をはじめとする薬剤等、いかなる液体であってもよい。
【００３７】
内継手５５は、外継手５１と同様に、底片５６と該底片５６の幅方向の両端から上方に若干広がるように連設される側片５７とからなる、長手方向に直交する断面形状が上方に開口する略コ字状をしたもので、液肥容器４の内面に略沿う形状に形成される。内継手５５が液肥容器４に装着された際、側片５７の下端部は液肥容器４の底片４１に達しており、底片５６は液肥容器４の底片４１の上面に沿う状態となっている。側片５７の上端部には、培地容器１の係止片１３と同様の係止片５７ａが外方に向けて連設されており、液肥容器４の側片４２の上端部上に載置される。また、培地容器１の下係止片１４に対応する位置において、両側片５７同士を連結する連結片５８が形成されていて、底片５６や側片５７が撓んで両側片５７間の距離が変わるのが防止される。内継手５５の長手方向の長さは、外継手５１の中片５３ｃの長手方向の長さと同じに形成される。
【００３８】
液肥容器４は、上記外継手５１及び内継手５５で連結されるため、長手方向の両端部において、下側片４２ｂ及び底片４１が、上側片４２ａ及び下係止片４３の端部から長手方向に中片５３ｃの長さの半分が突出するように形成している。すなわち、上側片４２ａ及び下係止片４３がない部分に内継手５５の側片５７が位置する（図２参照）。
【００３９】
液肥容器４の連結には、まず外継手５１が両液肥容器４に装着される。これにあたっては、各液肥容器４の長手方向の端部に外継手５１がそれぞれ被嵌され、液肥容器４の下係止片４３の下面が外継手５１の係合凹部５３ａの上端面５３ｂに載置され、液肥容器４の上側片４２ａ及び下係止片４３の側端面が外継手５１の中片５３ｃの側端面に当接する。そして、内継手５５が液肥容器４の内面側から嵌め込まれる。これにあたっては、内継手５５が外継手５１の中片５３ｃの位置に沿わせて嵌め込まれることで、液肥容器４の下側片４２ｂ及び底片４１を外継手５１と内継手５５とが協同して内外から挟持するものである。
【００４０】
外継手５１と内継手５５とで液肥容器４が挟持されるためには、外継手５１と内継手５５とが連結されるか、あるいは内継手５５に下方への荷重がかかって液肥容器４が外継手５１に押さえ付けられればよい。
【００４１】
外継手５１と内継手５５とが連結されるには、外継手５１の中片５３ｃの上端部と内継手５５の側片５７の上端部とに連結手段（図示せず）が設けられ、両連結手段により連結されればよい。連結手段としては、互いに係止する係止部が好適に挙げられるが、特に限定されない。
【００４２】
また、内継手５５に下方への荷重がかかるようにして押さえ付けるには、内継手５５におもりが付けられたり内継手５５自身がおもりとして機能するか、あるいは培地容器１に連結されて培地容器１の荷重が利用できればよい。この場合、培地容器１の長手方向の端部と内継手５５とに連結手段（図示せず）が設けられ、両連結手段により連結されればよい。連結手段として互いに係止する係止部が好適に挙げられるが、特に限定されない。
【００４３】
また、液肥容器４の長手方向の端部に、該端部の開口を閉塞するエンドカバー６（図７参照）が着脱自在となるように形成することで、必要に応じてエンドカバー６を装着して、底片４１と側片４２とエンドカバー６とで上方に開口する区画された貯留空間４０を適宜構成することができる。
【００４４】
上述したプランターは、植物が保持される培地９が培地容器１に収納され、この培地容器１が液肥容器４に収納される。液肥容器４の貯留空間４０に液体（主に液肥）が貯留され、培地９に保持される植物が培地容器１の挿通開口を介して貯留空間４０に根を下ろし、液体を吸い上げて成長する。培地９としてはスポンジ、土等、特に限定されない。
【００４５】
図４に示すように、液肥容器４の長手方向の長さが培地容器１の長手方向の長さの数倍となることで、複数の培地容器１が液肥容器４に収納され、任意の培地容器１が液肥容器４に着脱自在となる。培地容器１の長手方向の長さは、人が両手で持ち上げられる程度の長さに設定されるのが好ましいが、特に限定されない。
【００４６】
また、培地容器１と液肥容器４は、側片１２、４２が底片１１、４１の幅方向の両端から上方に若干広がるように連設されるようにすることで、図５に示すようにスタックすることが可能となり、輸送時に嵩が減るものである。
【００４７】
次に、他の実施形態について図６乃至図８に基づいて説明する。以下の説明において上述した実施形態と同じ構成については同符号を付して説明は省略し、主に異なる構成について説明する。
【００４８】
本実施形態のプランターは、水平でない面に設置する場合でも水平に設置することができるように、設置面からの高さ調整手段７が設けられることに特徴を有するもので、高さ調整手段７は、図８に示すように継手５とエンドカバー６に設けられる。
【００４９】
図６（ａ）に示すように、外継手５１の底片５２には、中片５３ｃの幅内に対応する位置から上方に向けて中空の筒部７１が突設してある。筒部７１は円筒状をしたもので、上端は開口されていなくてもよいが、下端は下方に開口されていると共に、底片５２にも開口が形成してあって、筒部７１内の空間は底片５２の下方に連通している。図示例では筒部７１は短手方向に二つ設けてあるが、幅方向の中央部に一つのみ設けたり三つ以上設けてあってもよい。筒部７１の内面にはアジャスタボルト７２が螺合する雌螺子部が螺設してある。また、内継手５５の底片５６の前記筒部７１に対応する位置には、筒部７１が挿通可能な挿通口７３が形成してあると共に、液肥容器４の底片４１の前記筒部７１に対応する位置にも、筒部７１が挿通可能な挿通口７４が形成してある。
【００５０】
そして、上述したように外継手５１と内継手５５とで液肥容器４が挟持されるのであるが、外継手５１が両液肥容器４に装着される時には、図６（ｂ）に示すように、液肥容器４の挿通口７４に筒部７１が挿通される。また、内継手５５が液肥容器４の内面側から嵌め込まれる時にも、内継手５５の挿通口７３に筒部７１が挿通され、筒部７１は内継手５５の内方に突出する状態となって液肥容器４が連結される。この状態で筒部７１の下方よりアジャスタボルト７２が螺合され、任意の高さに調整される。
【００５１】
エンドカバー６は、図７に示すように、底片６１と、該底片６１の幅方向の両端から上方に若干広がるように連設される側片６２と、該側片６２の上端部間に架設される天片６３と、底片６１と側片６２と天片６３の一端部に形成される閉塞片６４とからなる、長手方向に直交する断面形状が上方に開口する略ロ字状をしたもので、液肥容器４の外面に略沿う形状に形成される。底片６１には、上方に向けて中空の筒部７１が突設してある。筒部７１は外継手５１に形成された筒部７１と同様であるため説明を省略する。
【００５２】
そして、液肥容器４の長手方向の端部に、底片６１が底片４１の外面に沿うと共に側片６２が側片４２の外面に沿うように装着され、液肥容器４の長手方向の端部の開口が閉塞片６４により閉塞される。この状態で筒部７１の下方よりアジャスタボルト７２が螺合され、任意の高さに調整される。
【００５３】
これにより、図８に示すように、プランター（液肥容器４）が水平でない面に設置される場合でも水平に設置可能となる。
【００５４】
次に、更に他の実施形態について図９及び図１０に基づいて説明する。以下の説明において上述した実施形態と同じ構成については同符号を付して説明は省略し、主に異なる構成について説明する。
【００５５】
本実施形態のプランターは、隣接する液肥容器４の貯留空間４０を区画し、異なる液体が貯留可能となる仕切り５９が設けられることに特徴を有する。
【００５６】
図１０に示すように、内継手５５は、図３に示す内継手５５と比較して、長手方向に直交する仕切り５９が底片５６及び側片５７の長手方向の両端部に形成されている。また、連結片５８が形成されていないが、仕切り５９が側片５７間に連結されていて該仕切り５９が連結片５８を兼ねている。なお、本実施形態では仕切り５９が上記のように内継手５５の長手方向の両端部に形成されて、内継手５５が上方に開口する箱状をしているが、仕切り５９が一つのみ形成されて内継手５５が箱状をしていなくてもよい。外継手５１は、図３に示す外継手５１と同じである。
【００５７】
これにより、図９に示すように、液肥容器４の連結部分に仕切り５９が設けられ、隣接する液肥容器４においてそれぞれ異なる組成の液体を使い分けて貯留することが可能となり、異なる種類の植物や、同じ種類であっても成長の仕方が異なる植物の栽培が可能となる。
【００５８】
次に、更に他の実施形態について図１１に基づいて説明する。以下の説明において上述した実施形態と同じ構成については同符号を付して説明は省略し、主に異なる構成について説明する。
【００５９】
本実施形態のプランターは、上述したいずれかの実施形態のプランターに加え、培地容器１の栽培空間を覆うカバー８が設けられることに特徴を有する。
【００６０】
カバー８は、透光性を有する合成樹脂で形成されるか、あるいはメッシュで形成される。合成樹脂で形成される場合、耐候性の高い合成樹脂で形成されるのが好ましく、また、形状は特に限定されないが、図１１に示すように下方に開口する略コ字状や略Ｕ字状や略円弧状のように、上に凸となり栽培空間が広く確保される形状が好ましい。またカバー８の長手方向の端部には、カバー８の断面形状と略同形状をした閉塞片８２を有するエンドカバー８１が設けられる。エンドカバー８１は、耐候性の高い合成樹脂で形成されるのが好ましいが、透光性を有する必要はない。
【００６１】
カバー８により、害虫が栽培空間に侵入するのが抑制される。また、カバー８が合成樹脂で形成される場合には、液体の蒸発が抑制される。
【００６２】
次に、更に他の実施形態について図１２に基づいて説明する。以下の説明において上述した実施形態と同じ構成については同符号を付して説明は省略し、主に異なる構成について説明する。
【００６３】
本実施形態のプランターは、上述したいずれかの実施形態のプランターに加え、培地容器１に液肥容器４の液体を吸い上げる吸い上げリブ１５が設けられることに特徴を有する。
【００６４】
吸い上げリブ１５は、培地容器１の底片１１の挿通開口が形成される部分から下方に向けて、複数のリブが狭い間隔をあけて並設されたものである。各リブの間隔は、液体が毛細管現象により上方に吸い上げられるように設定される。
【００６５】
これにより、根の長さが比較的短い植物の場合や、液肥容器４の貯留空間４０に貯留されている液体の液面が下がり、植物の根が直接液体に浸漬されていなくても、吸い上げリブ１５によって液体が吸い上げられて植物に吸収されることが可能となる。
【符号の説明】
【００６６】
１    培地容器
１１  底片
１２  側片
１５  吸い上げリブ
２    芯材
２１  金属板
３    表面材
４    液肥容器
４０  貯留空間
４１  底片
４２  側片
５    継手
５１  外継手
５２  底片
５３  側片
５４  シール部
５５  内継手
５６  底片
５７  側片
５８  連結片
５９  仕切り
６    エンドカバー
７    高さ調整手段
７１  筒部
７２  アジャスタボルト
８    カバー
８１  エンドカバー
８２  閉塞片
８３  カバー継手
９    培地
【図１】
0005571395.tif 000002
【図２】
0005571395.tif 000003
【図３】
0005571395.tif 000004
【図４】
0005571395.tif 000005
【図５】
0005571395.tif 000006
【図６】
0005571395.tif 000007
【図７】
0005571395.tif 000008
【図８】
0005571395.tif 000009
【図９】
0005571395.tif 000010
【図１０】
0005571395.tif 000011
【図１１】
0005571395.tif 000012
【図１２】
0005571395.tif 000013
【図１３】
0005571395.tif 000014